(57)【要約】【課題】作業性の悪化を防止できる可撓性基板保持装置及びカメラ用羽根駆動装置を提供する。【解決手段】カメラ用駆動装置は、開口１１を有するシャッタ基板１０と、開口１１を開閉する羽根のアクチュエータユニット２０と、シャッタ基板１０に固定される固定領域と固定領域から伸びた非固定領域３０ｃとを有して基板１０に保持されたフレキシブルプリント基板３０と、フレキシブルプリント基板３０とアクチュエータユニット２０とを電気的に接続する導電性の素線２１とを備え、固定領域は、裏面がシャッタ基板１０に貼り付けられるように両面テープにより固定されると共に表面が素線２１と電気的に接続される半田部４０を有する第１の固定領域３０ａと、接続部３３から退避した部分に固定突起部２２により折り返されて互いに重なった状態でシャッタ基板１０に固定される第２の固定領域３０ｂとを含む。【選択図】図１
2008129291.tif 000002
【特許請求の範囲】
【請求項１】
ベース部材と、前記ベース部材に固定される固定領域と前記固定領域から伸びた非固定領域とを有して前記ベース部材に保持された可撓性基板と、前記可撓性基板と外部装置とを電気的に接続する導電性の素線とを備え、
前記固定領域は、裏面が前記ベース部材に貼り付けられるように固定されると共に表面が前記素線と電気的に接続される接続部を有する第１の固定領域と、折り返されて互いに重なった状態で前記ベース部材に固定される第２の固定領域とを含む、ことを特徴とする可撓性基板保持装置。
【請求項２】
前記第１の固定領域は、裏面が前記ベース部材に貼り付けられるように第１の固定部材により固定され、前記第２の固定領域は、前記接続部から退避した部分に第２の固定部材により折り返されて互いに重なった状態で前記ベース部材に固定される、ことを特徴とする請求項１に記載の可撓性基板保持装置。
【請求項３】
開口を有するシャッタ基板と、開口を開閉する羽根の駆動源と、前記シャッタ基板に固定される固定領域と前記固定領域から伸びた非固定領域とを有して前記基板に保持された可撓性基板と、前記可撓性基板と前記駆動源とを電気的に接続する導電性の素線とを備え、
前記固定領域は、裏面が前記シャッタ基板に貼り付けられるように固定されると共に表面が前記素線と電気的に接続される接続部を有する第１の固定領域と、折り返されて互いに重なった状態で前記シャッタ基板に固定される第２の固定領域とを含む、ことを特徴とするカメラ用羽根駆動装置。
【請求項４】
前記第１の固定領域は、裏面が前記シャッタ基板に貼り付けられるように第１の固定部材により固定され、前記第２の固定領域は、前記接続部から退避した部分に第２の固定部材により折り返されて互いに重なった状態で前記シャッタ基板に固定される、ことを特徴とする請求項３に記載のカメラ用羽根駆動装置。
【発明の詳細な説明】
【技術分野】
【０００１】
本発明は、可撓性基板保持装置及びカメラ用羽根駆動装置に関する。
【背景技術】
【０００２】
カメラ用羽根駆動装置としては、開口を有する基板と、前記開口を開閉する羽根と、羽根を駆動させるためのアクチュエータを備えたものがある（特許文献１参照）。
図４は、従来のシャッタ基板の構成を示した説明図である。シャッタ基板１１０には、その中央部に撮像素子（不図示）に被写体光を結像させるための開口１１１が形成されている。また、シャッタ基板１１０の被写体側の面には、羽根（不図示）を駆動するアクチュエータユニット１２０が固定されている。また、シャッタ基板１１０の被写体側の面に、両面テープ（不図示）により、フレキシブルプリント基板１３０が固定されている。アクチュエータユニット１２０は、アクチュエータユニット１２０から伸びるコイル素線１２１を介してフレキシブルプリント基板１３０と電気的に接続されている。また、コイル素線１２１の端部は、フレキシブルプリント基板１３０の表面に半田部１４０によって接続されている。フレキシブルプリント基板１３０の他端は、外部装置と電気的に接続される。これにより、アクチュエータユニット１２０は、外部装置からの電気的信号により、その駆動が制御される。
【０００３】
【特許文献１】特開２００５−２５０２９７号公報
【発明の開示】
【発明が解決しようとする課題】
【０００４】
しかしながら、図４に示したように、フレキシブルプリント基板１３０は、その端部がシャッタ基板１１０から外側に向けて伸びているため、例えば、シャッタ基板１１０に固定されたフレキシブルプリント基板１３０に、半田付けの作業を行う際に、誤って作業者がフレキシブルプリント基板１３０を引張ってしまったような場合には、両面テープによって固定されたフレキシブルプリント基板１３０が、シャッタ基板１１０からずれてしまい、作業性が悪化し、ひいては半田付けしたコイル素線１２１が断線する恐れがあった。また、最終完成品として、フレキシブルプリント基板１３０が固定されたシャッタ基板１１０に羽根などを組付ける際に、フレキシブルプリント基板１３０が何らかに接触して、フレキシブルプリント基板１３０が引っ張られ、このような場合にも、フレキシブルプリント基板１３０がシャッタ基板１１０からはずれ、コイル素線１２１が断線する恐れがあった。コイル素線１２１が断線すると、再度部品を交換する必要があるため生産性が悪く、製品コストが増加する。
【０００５】
そこで本発明は、生産性を向上させることができる可撓性基板保持装置及びカメラ用羽根駆動装置を提供する。
【課題を解決するための手段】
【０００６】
上記目的は、ベース部材と、前記ベース部材に固定される固定領域と前記固定領域から伸びた非固定領域とを有して前記ベース部材に保持された可撓性基板と、前記可撓性基板と外部装置とを電気的に接続する導電性の素線とを備え、前記固定領域は、裏面が前記ベース部材に貼り付けられるように固定されると共に表面が前記素線と電気的に接続される接続部を有する第１の固定領域と、折り返されて互いに重なった状態で前記ベース部材に固定される第２の固定領域とを含む、ことを特徴とする可撓性基板保持装置によって達成できる。
この構成により、例えば可撓性基板の非固定領域の箇所が、何らかの原因により引張られた場合であっても、可撓性基板は第２の固定領域において、折り返されて互いに重なった状態でベース部材に固定されているので、可撓性基板が２ヶ所で固定されているのと同じ作用をし、引張られたことによる張力が、第１の固定領域にまで伝わることを抑制できる。従って、引張られたことによる、第１の固定領域上の接続部に接続された素線の断線を防止できる。これによって組付け時などの作業性の悪化を防止し、生産性を向上させることができる。
【０００７】
また、上記目的は、前記第１の固定領域の裏面が前記ベース部材に貼り付けられるように第１の固定部材により固定され、前記第２の固定領域の前記接続部から退避した部分が第２の固定部材により折り返されて互いに重なった状態で前記ベース部材に固定される、ことを特徴とする可撓性基板保持装置によって達成できる。
この構成により、可撓性基板は第１の固定領域において裏面が前記ベース部材に貼り付けられるように第１の固定部材により固定され、第２の固定領域においては、前記接続部から退避した部分に第２の固定部材により折り返されて互いに重なった状態で前記ベース部材に固定されている。つまり異なる２つの固定部材により固定されているので可撓性基板の非固定領域の箇所が、何らかの原因により引張られた場合であっても、第１の固定領域にまで伝わることを確実に抑制できる。従って、引張られたことによる、第１の固定領域上の接続部に接続された素線の断線を確実に防止できる。
【０００８】
また、上記目的は、開口を有するシャッタ基板と、開口を開閉する羽根の駆動源と、前記シャッタ基板に固定される固定領域と前記固定領域から伸びた非固定領域とを有して前記基板に保持された可撓性基板と、前記可撓性基板と前記駆動源とを電気的に接続する導電性の素線とを備え、前記固定領域は、裏面が前記シャッタ基板に貼り付けられるように固定されると共に表面が前記素線と電気的に接続される接続部を有する第１の固定領域と、折り返されて互いに重なった状態で前記シャッタ基板に固定される第２の固定領域とを含む、ことを特徴とするカメラ用羽根駆動装置によって達成できる。
この構成により、例えば可撓性基板の非固定領域の箇所が、何らかの原因により引張られた場合であっても、可撓性基板は第２の固定領域において、折り返されて互いに重なった状態でシャッタ基板に固定されるので、引張られたことによる張力が、第１の固定領域にまで伝わることを抑制できる。従って、引張られたことによる、第１の固定領域上の接続部に接続された素線の断線を防止できる。従って、本発明の提供するカメラ用羽根駆動装置は、組付け時などの作業性の悪化を防止し、生産性を向上させることができる。またフレキシブルプリント基板を折り返す第２の固定領域があるので近接しているカメラ部品から逃がすために、非固定領域を第１の固定領域から急激に立ち曲げなくてすむためフレキシブルプリント基板上のプリント配線の断線を防止することができる。
【０００９】
また、上記目的は、前記第１の固定領域の裏面が前記シャッタ基板に貼り付けられるように第１の固定部材により固定され、前記第２の固定領域の前記接続部から退避した部分が第２の固定部材により折り返されて互いに重なった状態で前記シャッタ基板に固定される、ことを特徴とするカメラ用羽根駆動装置によって達成できる。
この構成により、可撓性基板は第１の固定領域において裏面が前記シャッタ基板に貼り付けられるように第１の固定部材により固定され、第２の固定領域においては、前記接続部から退避した部分に第２の固定部材により折り返されて互いに重なった状態でシャッタ基板に固定されている。つまり異なる２つの固定部材により固定されているので可撓性基板の非固定領域の箇所が、何らかの原因により引張られた場合であっても、第１の固定領域にまで伝わることを確実に抑制できる。従って、引張られたことによる、第１の固定領域上の接続部に接続された素線の断線を確実に防止できる。従って、本発明の提供するカメラ用羽根駆動装置は、組付け時などの作業性の悪化を防止し、生産性を向上させることができる。
【発明の効果】
【００１０】
本発明によれば、生産性を向上させることができる可撓性基板保持装置及びカメラ用羽根駆動装置を提供する。
【発明を実施するための最良の形態】
【００１１】
以下、図面を参照して本発明に係る実施例を説明する。
図１は、本実施例に係るカメラ用羽根駆動装置に用いられる、フレキシブルプリント基板を保持するシャッタ基板の説明図である。
【００１２】
ベース部材であるシャッタ基板１０は、カメラ用に用いられるものであり、その中央部には開口１１が形成され、撮像素子（不図示）に結像させる被写体からの光を通過させる。また、シャッタ基板１０の撮像素子側には開口１１を開閉する羽根（不図示）が配置され、開口１１を所定のタイミングで開閉する。シャッタ基板１０は、円形状に形成され、被写体側の面に、外部装置としてのアクチュエータユニット２０や、フレキシブルプリント基板３０が固定されている。
【００１３】
アクチュエータユニット２０は、電磁アクチュエータを備えたユニットであり、羽根に駆動力を供給する。アクチュエータユニット２０は、シャッタ基板１０の被写体側に配置されている。アクチュエータユニット２０は、電磁アクチュエータの出力軸（不図示）に連結された出力ピン（不図示）を介して、シャッタ基板１０に配置されたアクチュエータユニット２０と相反する側に配置された羽根へとその駆動力を供給する。尚、シャッタ基板１０のアクチュエータユニット２０が配置されている箇所には、出力ピンの回動を逃がすための逃げ孔（不図示）が形成されている。
【００１４】
また、このアクチュエータユニット２０は、コイル素線２１と、周方向に複数の磁極に着磁されて回動自在に支持されたロータ（不図示）と、コイル素線２１へ通電によりロータに対して磁力を生じるステータ（不図示）などから構成される。このコイル素線２１は、アクチュエータユニット２０内でステータに巻回されており、その端部がアクチュエータユニット２０から外に引き出され、コイル素線２１は、後述するフレキシブルプリント基板３０のランド部３３（接続部）に半田付することによって導通される導電性の素線である。
【００１５】
フレキシブルプリント基板３０は、可撓性を有して、外部装置としてのアクチュエータユニット２０と、他の外部装置とを電気的に接続する。また、フレキシブルプリント基板３０は、第１の固定領域３０ａ、第２の固定領域３０ｂ、非固定領域３０ｃから構成される。第１の固定領域３０ａは、シャッタ基板１０の外輪郭に沿うように円弧状となってシャッタ基板１０に対して固定されている。第１の固定領域３０ａの裏面は、両面テープ（第１の固定部材、不図示）によりシャッタ基板１０に対して貼付されている。
【００１６】
また、第１の固定領域３０ａの表面には、ランド部３３が設けられ、コイル素線２１が半田付され、フレキシブルプリント基板３０上に電気的に接続されている。この、フレキシブルプリント基板３０の裏面がシャッタ基板１０に対向し、両面テープにより固定されると共に表面がコイル素線２１を介してアクチュエータユニット２０と電気的に接続される半田部４０を有する領域を第１の固定領域３０ａとする。半田部４０は、半田部４０から反射した２次光が開口１１内に入ることがないように、シャッタ基板１０の外周縁寄りに設けられている。このため、フレキシブルプリント基板３０そのものもシャッタ基板１０の外周縁寄りに配置される。
【００１７】
また、フレキシブルプリント基板３０の、半田部４０が設けられた固定領域３０ａから退避した部分は、開口１１に向かって伸長し、この伸長した部分が開口１１の手前で開口１１から離れる方向に折り返されている。この折り返された部分は、固定突起部２２（第２の固定部材）によりシャッタ基板１０に固定されている。また、フレキシブルプリント基板３０は、固定突起部２２により固定された箇所から、シャッタ基板１０の外側に伸びるように配置されている。
【００１８】
このランドが形成された固定領域３０ａから退避した部分に、固定突起部２２により折り返されて互いに重なった状態でシャッタ基板１０に固定される領域を第２の固定領域３０ｂとする。前述した第１の固定領域３０ａ及び第２の固定領域３０ｂでフレキシブルプリント基板３０の固定領域とする。
【００１９】
フレキシブルプリント基板３０はシャッタ基板１０に対して両面テープで固定されていると共に、固定突起部２２によっても固定されている。この固定突起部２２から、シャッタ基板１０の外側に伸びるフレキシブルプリント基板３０の領域を非固定領域３０ｃとする。非固定領域３０ｃでは、フレキシブルプリント基板３０はシャッタ基板１０に固定されていない。
【００２０】
次に、フレキシブルプリント基板３０をシャッタ基板１０に固定する手順について説明する。図２及び図３は、フレキシブルプリント基板３０をシャッタ基板１０に固定する途中での状態を示した説明図である。まず、アクチュエータユニット２０が設置されてないシャッタ基板１０の被写体側の面に、イカリ状に形成されたフレキシブルプリント基板３０を貼り付ける。尚、この状態でのシャッタ基板１０の被写体側の面には、固定突起部２２が、図１において示した最終部品での固定突起部２２よりも高く、かつ径が小さく形成されている。詳しくは後述する。
【００２１】
シャッタ基板１０にフレキシブルプリント基板３０を固定するには、図２に示すように、第１の固定領域３０ａの裏面に予め両面テープを貼り付けておき、又は、第１の固定領域３０ａの位置に対応するシャッタ基板１０の所定の箇所に両面テープを予め貼り付けておき、第２の固定領域３０ｂに形成された孔部３１に固定突起部２２が貫通するように、シャッタ基板１０にフレキシブルプリント基板３０を固定する。
【００２２】
尚、第２の固定領域３０ｂには、孔部３１、孔部３２の２箇所の孔部が所定の間隔を隔てて形成されており、まず第１の固定領域３０ａにより近い孔部３１に固定突起部２２を貫通させる。
【００２３】
次に、図３に示すように、非固定領域３０ｃを固定突起部２２が設けられた側に引き寄せて、孔部３２が固定突起部２２に貫通されるように、第２の固定領域３０ｂの部分で折り曲げる。この状態で、固定突起部２２の先端を熱カシメにより溶かしてその先端を潰すようにシャッタ基板１０側に押し付ける。これにより、固定突起部２２の先端部が潰れて、図１に示した固定突起部２２の状態となり、フレキシブルプリント基板３０は固定突起部２２によって固定される。ここで小型化のために固定突起部２２を外周寄りに設けてもよい。その後に、アクチュエータユニット２０を逃げ孔１２が形成された位置に固定して、コイル素線２１をランド部３３に接触させた状態で半田付することによって、最終部品として完成する。
【００２４】
このように、図３に示した状態で固定突起部２２を熱カシメによりフレキシブルプリント基板３０をシャッタ基板１０に固定する。その後に、アクチュエータユニット２０を設置してコイル素線２１をランド部３３に接触させて半田付する作業を行う。このため、例えば、半田付している作業中やその後の組立作業中に、誤って作業者が非固定領域３０ｃを引張ってしまったような場合であっても、第２の固定領域３０ｂで折り返された状態でフレキシブルプリント基板３０が固定されており、かつ第１の固定領域３０ａの裏面は両面テープによりシャッタ基板１０に対して固定されているので、第２の固定領域３０ｂで１箇所のみで固定するより、より強固にフレキシブルプリント基板３０をシャッタ基板１０に固定でき、また第１の固定領域３０ａまでもが引張られることを抑制することができる。従って、コイル素線２１の断線を防止することができ、部品交換をする必要がないため作業性の悪化を防止できる。また製品コストを抑え、生産性を向上させることができる。
【００２５】
また、最終部品として完成した後についても、非固定領域３０ｃが引張られた場合であっても、第１の固定領域３０ａまでも引張られることが抑制されるので、コイル素線２１の断線を防止でき、生産性を向上させることができる。また、最終部品としてカメラに取り付けた際、シャッタ基板１０にレンズ鏡筒等のカメラ部品が接する場合がある。このような場合、フレキシブルプリント基板３０を折り返す第２の固定領域３０ｂがないと、フレキシブルプリント基板３０がシャッタ基板１０の外周縁寄りにあるため、第１の固定領域３０ａから非固定領域３０ｃを急激に立ち曲げて、接しているカメラ部品から逃がす必要がある。フレキシブルプリント基板３０をこのように急激に立ち曲げると基板内のプリント配線が断線するおそれが生じる。フレキシブルプリント基板３０を開口１１側で折り返す第２の固定領域３０ｂがあると、前述のようなシャッタ基板１０にカメラ部品が接する場合でも、第１の固定領域３０ａから急激に立ち曲げなくてすむためフレキシブルプリント基板３０上のプリント配線の断線を防止することができる。
【００２６】
以上本発明の好ましい実施形態について詳述したが、本発明は係る特定の実施形態に限定されるものではなく、特許請求の範囲に記載された本発明の要旨の範囲内において、変形・変更が可能である。
【００２７】
上記実施例において、固定突起部２２が１つの場合において説明したが、固定突起部２２が２つあってもよい。この場合、シャッタ基板１０に対するフレキシブルプリント基板３０の非固定領域３０ｃの位置精度が良くなり、より確実にシャッタ基板１０にフレキシブルプリント基板３０を固定することができる。
【００２８】
上記実施例において、フレキシブルプリント基板３０をシャッタ基板１０に固定してからアクチュエータユニット２０をシャッタ基板１０に固定し、コイル素線２１をランド部３３に半田付する例を示したが、アクチュエータユニット２０をシャッタ基板１０に固定した後、フレキシブルプリント基板３０をシャッタ基板１０に固定し、コイル素線２１をランド部３３に半田付してもよい。
【００２９】
非固定領域３０ｃが半田部４０を覆う形状としてもよく、この場合、コイル素線２１の断線防止のみならず、半田部４０から反射した被写体側からの２次光が開口１１内に入ることを防止することができる。
【００３０】
上記実施例において、シャッタ基板１０が被写体側となるカメラ用羽根駆動装置を詳述したが、シャッタ基板１０が撮像素子側となってもよい。
【００３１】
上記実施例において、フレキシブルプリント基板１３０が両面テープ（不図示）によりシャッタ基板１０に固定されているカメラ用羽根駆動装置を詳述したがこのような構成に限定されない。例えば接着剤により固定してもよく、また別途固定用の突起部設け、その突起部を熱カシメによりその先端を潰すことによって固定してもよい。
【００３２】
第２の固定領域３０ｂにおいて、固定突起部２２を熱カシメによりその先端を潰すことによって、フレキシブルプリント基板３０をシャッタ基板１０に固定するように構成したが、このような構成に限定されない。例えば接着剤や両面テープを用いて固定してもよい。
【図面の簡単な説明】
【００３３】
【図１】フレキシブルプリント基板を保持するシャッタ基板の説明図である。
【図２】フレキシブルプリント基板をシャッタ基板に固定する途中での状態を示した説明図である。
【図３】フレキシブルプリント基板をシャッタ基板に固定する途中での状態を示した説明図である。
【図４】従来のシャッタ基板の説明図である。
【符号の説明】
【００３４】
１０                          シャッタ基板
１１                          開口
１２                          逃げ孔
２０                          アクチュエータユニット
２１                          コイル素線
２２                          固定突起部
３０                          フレキシブルプリント基板
３０ａ                        第１の固定領域
３０ｂ                        第２の固定領域
３０ｃ                        非固定領域
３１、３２                    孔部
３３                          ランド部
４０                          半田部
【図１】
2008129291.tif 000003
【図２】
2008129291.tif 000004
【図３】
2008129291.tif 000005
【図４】
2008129291.tif 000006